(57)【要約】【目的】  記録媒体へのデータ記録の失敗が記録媒体の異常によるものなのか記録再生装置の故障による異常によるものなのかを正確に判断できるようにする。【構成】  ＣＰＵ７は、光ディスクドライブ２が光ディスク１１に対してデータの記録中であるか待機状態であるかを判断して認識し、光ディスクドライブ２による光ディスク１１へのデータの記録が正常であるか異常が発生したかを判断して認識し、その確認結果を示す認識情報に基づいて、光ディスク１１へのデータの記録に異常が発生した原因が光ディスク１１にあるのか光ディスクドライブ２の故障にあるのかを判定し、上記認識情報と上記判定結果を示す判定情報とからなる状態情報をＨＤＤ９に記憶し、その状態情報を再生し、その状態情報に基づいて、光ディスクドライブ２の動作状態を表示装置２５に表示する。【選択図】        図１
2006344297.tif 000002
【特許請求の範囲】
【請求項１】
記録媒体に対するデータの記録と再生を行う記録再生手段と、前記記録媒体に記録するデータ又は前記記録媒体から再生したデータを記憶する記憶手段と、前記記憶手段に対するデータの書き込みと読み出しと前記記録再生手段に対するデータの記録の書き込み及びデータの再生の読み出しを制御する制御手段とを備えた記録再生装置において、
前記記録再生手段が前記記録媒体に対してデータの記録中であるか待機状態であるかを判断して認識する第１認識手段と、
前記記録再生手段による前記記録媒体へのデータの記録が正常であるか異常が発生したかを判断して認識する第２認識手段と、
前記第１認識手段と前記第２認識手段との認識結果を示す認識情報に基づいて、前記記録媒体へのデータの記録に異常が発生した原因が前記記録媒体にあるのか前記記録再生手段の故障にあるのかを判定する判定手段と、
前記第１認識手段と前記第２認識手段との認識情報と前記判定手段の判定結果を示す判定情報とからなる状態情報を記憶する状態情報記憶手段と、
前記状態情報記憶手段から前記状態情報を再生する状態情報再生手段と、
前記状態情報再生手段によって再生された状態情報に基づいて、前記記録再生手段の動作状態を表示する表示手段とを設けたことを特徴とする記録再生装置。
【請求項２】
ネットワークへの接続手段と、記録媒体に対するデータの記録と再生を行う複数の記録再生手段と、前記複数の記録再生手段をそれぞれ前記接続手段を介して選択的に前記ネットワークに接続させる手段と、該手段によって接続させた記録再生手段の記録媒体に記録する前記ネットワークを介して転送されたデータ又は前記記録媒体から再生したデータを記憶する記憶手段と、前記記憶手段に対するデータの書き込みと読み出しと前記記録再生手段に対するデータの記録の書き込み及びデータの再生の読み出しを制御する制御手段と、前記記憶手段に記憶されたデータを前記ネットワークを介して転送する手段とを備えた記録再生装置において、
前記ネットワークに接続させた記録再生手段が前記記録媒体に対してデータの記録中であるか待機状態であるかを判断して認識する第１認識手段と、
前記ネットワークに接続させた記録再生手段による前記記録媒体へのデータの記録が正常であるか異常が発生したかを判断して認識する第２認識手段と、
前記第１認識手段と前記第２認識手段との認識結果を示す認識情報に基づいて、前記記録媒体へのデータの記録に異常が発生した原因が前記記録媒体にあるのか前記ネットワークに接続させた記録再生手段の故障にあるのかを判定する判定手段と、
前記第１認識手段と前記第２認識手段との認識情報と前記判定手段の判定結果を示す判定情報とからなる状態情報を記憶する状態情報記憶手段と、
前記状態情報記憶手段から前記状態情報を再生する状態情報再生手段と、
前記状態情報再生手段によって再生された状態情報を、前記ネットワーク上のデータの記録を指令した端末装置へ通知する手段とを設けたことを特徴とする記録再生装置。
【請求項３】
ネットワークへの接続手段と、記録媒体に対するデータの記録と再生を行う複数の記録再生手段と、前記複数の記録再生手段をそれぞれ前記接続手段を介して選択的に前記ネットワークに接続させる手段と、該手段によって接続させた記録再生手段の記録媒体に記録する前記ネットワークを介して転送されたデータ又は前記記録媒体から再生したデータを記憶する記憶手段と、前記記憶手段に対するデータの書き込みと読み出しと前記記録再生手段に対するデータの記録の書き込み及びデータの再生の読み出しを制御する制御手段と、前記記憶手段に記憶されたデータを前記ネットワークを介して転送する手段とを備えた記録再生装置において、
前記ネットワークに接続させた記録再生手段が前記記録媒体に対してデータの記録中であるか待機状態であるかを判断して認識する第１認識手段と、
前記ネットワークに接続させた記録再生手段による前記記録媒体へのデータの記録が正常であるか異常が発生したかを判断して認識する第２認識手段と、
前記第１認識手段と前記第２認識手段との認識結果を示す認識情報に基づいて、前記記録媒体へのデータの記録に異常が発生した原因が前記記録媒体にあるのか前記ネットワークに接続させた記録再生手段の故障にあるのかを判定する判定手段と、
前記第１認識手段と前記第２認識手段との認識情報と前記判定手段の判定結果を示す判定情報とからなる状態情報を記憶する状態情報記憶手段と、
前記状態情報記憶手段から前記状態情報を再生する状態情報再生手段と、
前記状態情報再生手段によって再生された状態情報を、前記ネットワーク上のデータの記録を指令した端末装置へ通知すると共に、修理の依頼を要求するか否かを選択させる手段と、
該手段によって修理の依頼の要求が選択された場合、前記ネットワーク上の保守メンテナンス担当の端末装置へ修理の依頼を通知する手段とを設けたことを特徴とする記録再生装置。
【請求項４】
ネットワークへの接続手段と、記録媒体に対するデータの記録と再生を行う複数の記録再生手段と、前記複数の記録再生手段をそれぞれ前記接続手段を介して選択的に前記ネットワークに接続させる手段と、該手段によって接続させた記録再生手段の記録媒体に記録する前記ネットワークを介して転送されたデータ又は前記記録媒体から再生したデータを記憶する記憶手段と、前記記憶手段に対するデータの書き込みと読み出しと前記記録再生手段に対するデータの記録の書き込み及びデータの再生の読み出しを制御する制御手段と、前記記憶手段に記憶されたデータを前記ネットワークを介して転送する手段とを備えた記録再生装置において、
前記記憶手段の記憶領域を前記各記録再生手段毎に分割配置し、各分割配置した記憶領域にそれぞれ対応させた記録再生手段によって記録媒体に記憶するデータを記憶するようにし、
前記ネットワークに接続させた記録再生手段が前記記録媒体に対してデータの記録中であるか待機状態であるかを判断して認識する第１認識手段と、
前記ネットワークに接続させた記録再生手段による前記記録媒体へのデータの記録が正常であるか異常が発生したかを判断して認識する第２認識手段と、
前記第１認識手段と前記第２認識手段との認識結果を示す認識情報に基づいて、前記記録媒体へのデータの記録に異常が発生した原因が前記記録媒体にあるのか前記ネットワークに接続させた記録再生手段の故障にあるのかを判定する判定手段と、
前記第１認識手段と前記第２認識手段との認識情報と前記判定手段の判定結果を示す判定情報とからなる状態情報を記憶する状態情報記憶手段と、
前記状態情報記憶手段から前記状態情報を再生する状態情報再生手段と、
前記判定手段によって前記記録媒体へのデータの記録に異常が発生した原因が前記記録媒体にあると判定した場合、前記ネットワークに接続させた記録再生手段の記録媒体が新たな記録媒体に交換されたことを認識した後、前記ネットワークに接続させた記録再生手段に対して分割配置された前記記憶手段の記憶領域から再度データを読み出して記録をやり直す手段とを設けたことを特徴とする記録再生装置。
【請求項５】
ネットワークへの接続手段と、記録媒体に対するデータの記録と再生を行う複数の記録再生手段と、前記複数の記録再生手段をそれぞれ前記接続手段を介して選択的に前記ネットワークに接続させる手段と、該手段によって接続させた記録再生手段の記録媒体に記録する前記ネットワークを介して転送されたデータ又は前記記録媒体から再生したデータを記憶する記憶手段と、前記記憶手段に対するデータの書き込みと読み出しと前記記録再生手段に対するデータの記録の書き込み及びデータの再生の読み出しを制御する制御手段と、前記記憶手段に記憶されたデータを前記ネットワークを介して転送する手段とを備えた記録再生装置において、
前記記憶手段の記憶領域を前記各記録再生手段毎に分割配置し、各分割配置した記憶領域にそれぞれ対応させた記録再生手段によって記録媒体に記憶するデータを記憶するようにし、
前記ネットワークに接続させた記録再生手段が前記記録媒体に対してデータの記録中であるか待機状態であるかを判断して認識する第１認識手段と、
前記ネットワークに接続させた記録再生手段による前記記録媒体へのデータの記録が正常であるか異常が発生したかを判断して認識する第２認識手段と、
前記第１認識手段と前記第２認識手段との認識結果を示す認識情報に基づいて、前記記録媒体へのデータの記録に異常が発生した原因が前記記録媒体にあるのか前記ネットワークに接続させた記録再生手段の故障にあるのかを判定する判定手段と、
前記第１認識手段と前記第２認識手段との認識情報と前記判定手段の判定結果を示す判定情報とからなる状態情報を記憶する状態情報記憶手段と、
前記状態情報記憶手段から前記状態情報を再生する状態情報再生手段と、
前記状態情報再生手段によって再生された状態情報を、前記ネットワーク上のデータの記録を指令した端末装置へ通知すると共に、修理の依頼を要求するか否かを選択させる手段と、
該手段によって修理の依頼の要求が選択された場合、前記ネットワーク上の保守メンテナンス担当の端末装置へ修理の依頼を通知する手段と、
前記状態情報再生手段によって再生された状態情報に基づいて記録待ち状態で正常に動作する記録再生手段を選別する手段と、
該手段によって選別した記録再生手段が新たな記録媒体に交換されたことを認識した後、前記選別した記録再生手段に対して分割配置された前記記憶手段の記憶領域から再度データを読み出して記録を代行する手段とを設けたことを特徴とする記録再生装置。
【請求項６】
記録媒体に対するデータの記録と再生を行う記録再生手段と、前記記録媒体に記録するデータ又は前記記録媒体から再生したデータを記憶する記憶手段と、前記記憶手段に対するデータの書き込みと読み出しと前記記録再生手段に対するデータの記録の書き込み及びデータの再生の読み出しを制御する制御手段と、前記記録媒体のレーベル面にラベル印刷するラベル印刷手段とを備えた記録再生装置において、
前記記録再生手段が前記記録媒体に対してデータの記録中であるか待機状態であるかを判断して認識する第１認識手段と、
前記記録再生手段による前記記録媒体へのデータの記録が正常であるか異常が発生したかを判断して認識する第２認識手段と、
前記第１認識手段と前記第２認識手段との認識結果を示す認識情報に基づいて、前記記録媒体へのデータの記録に異常が発生した原因が前記記録媒体にあるのか前記記録再生手段の故障にあるのかを判定する判定手段と、
前記第１認識手段と前記第２認識手段との認識情報と前記判定手段の判定結果を示す判定情報とからなる状態情報と、前記ラベル印刷手段に搬送される記録媒体の順番を示す順番情報とを記憶する状態情報記憶手段と、
前記状態情報記憶手段から前記状態情報と前記順番情報とを再生する状態情報再生手段と、
前記状態情報再生手段によって再生された状態情報と順番情報とに基づいて、前記ラベル印刷手段に搬送される記録媒体の中からデータの記録に異常が発生した原因がある記録媒体を選択し、該選択した記録媒体に前記ラベル印刷手段によってデータの記録に異常が発生したことを示す情報をレーベル面にラベル印刷させる手段とを設けたことを特徴とする記録再生装置。
【請求項７】
記録媒体に対するデータの記録と再生を行う記録再生手段と、前記記録媒体に記録するデータ又は前記記録媒体から再生したデータを記憶する記憶手段と、前記記憶手段に対するデータの書き込みと読み出しと前記記録再生手段に対するデータの記録の書き込み及びデータの再生の読み出しを制御する制御手段とを備えた記録再生装置において、
前記記録再生手段が前記記録媒体に対してデータの記録中であるか待機状態であるかを判断して認識する第１認識手段と、
前記記録再生手段による前記記録媒体へのデータの記録が正常であるか異常が発生したかを判断して認識する第２認識手段と、
前記第１認識手段と前記第２認識手段との認識結果を示す認識情報に基づいて、前記記録媒体へのデータの記録に異常が発生した原因が前記記録媒体にあるのか前記記録再生手段の故障にあるのかを判定する判定手段と、
前記第１認識手段と前記第２認識手段との認識情報と前記判定手段の判定結果を示す判定情報とからなる状態情報と、前記記録再生手段から排出トレイに搬送される記録媒体の順番を示す順番情報とを記憶する状態情報記憶手段と、
前記状態情報記憶手段から前記状態情報と前記順番情報とを再生する状態情報再生手段と、
前記状態情報再生手段によって再生された状態情報と順番情報とに基づいて、前記排出トレイに搬送される記録媒体の中からデータの記録に異常が発生した原因がある記録媒体を選択し、該選択した記録媒体の記録面に傷をつけて破壊する手段とを設けたことを特徴とする記録再生装置。
【請求項８】
ネットワークへの接続手段と、記録媒体に対するデータの記録と再生を行う複数の記録再生手段と、前記複数の記録再生手段をそれぞれ前記接続手段を介して選択的に前記ネットワークに接続させる手段と、該手段によって接続させた記録再生手段の記録媒体に記録する前記ネットワークを介して転送されたデータ又は前記記録媒体から再生したデータを記憶する記憶手段と、前記記憶手段に対するデータの書き込みと読み出しと前記記録再生手段に対するデータの記録の書き込み及びデータの再生の読み出しを制御する制御手段と、前記記憶手段に記憶されたデータを前記ネットワークを介して転送する手段とを備えた記録再生装置において、
前記記憶手段の記憶領域を前記各記録再生手段毎に分割配置し、各分割配置した記憶領域にそれぞれ対応させた記録再生手段によって記録媒体に記憶するデータを記憶するようにし、
前記ネットワークに接続させた記録再生手段が前記記録媒体に対してデータの記録中であるか待機状態であるかを判断して認識する第１認識手段と、
前記ネットワークに接続させた記録再生手段による前記記録媒体へのデータの記録が正常であるか異常が発生したかを判断して認識する第２認識手段と、
前記第１認識手段と前記第２認識手段との認識結果を示す認識情報に基づいて、前記記録媒体へのデータの記録に異常が発生した原因が前記記録媒体にあるのか前記ネットワークに接続させた記録再生手段の故障にあるのかを判定する判定手段と、
前記第１認識手段と前記第２認識手段との認識情報と前記判定手段の判定結果を示す判定情報とからなる状態情報を記憶する状態情報記憶手段と、
前記状態情報記憶手段から前記状態情報を再生する状態情報再生手段と、
前記状態情報再生手段によって再生された状態情報を、前記ネットワーク上のデータの記録を指令した端末装置へ通知する手段と、
前記判定手段によって前記記録媒体へのデータの記録に異常が発生した原因が前記記録媒体にあると判定した場合、前記ネットワークに接続させた記録再生手段の記録媒体が新たな記録媒体に交換されたことを認識した後、前記ネットワークに接続させた記録再生手段に対して分割配置された前記記憶手段の記憶領域から再度データを読み出して記録をやり直す手段と、
前記判定手段によってデータの記録に異常が発生した原因があると判定した記録媒体のレーベル面にデータの記録に異常が発生したことを示す情報をラベル印刷する手段とを設けたことを特徴とする記録再生装置。
【請求項９】
ネットワークへの接続手段と、記録媒体に対するデータの記録と再生を行う複数の記録再生手段と、前記複数の記録再生手段をそれぞれ前記接続手段を介して選択的に前記ネットワークに接続させる手段と、該手段によって接続させた記録再生手段の記録媒体に記録する前記ネットワークを介して転送されたデータ又は前記記録媒体から再生したデータを記憶する記憶手段と、前記記憶手段に対するデータの書き込みと読み出しと前記記録再生手段に対するデータの記録の書き込み及びデータの再生の読み出しを制御する制御手段と、前記記憶手段に記憶されたデータを前記ネットワークを介して転送する手段とを備えた記録再生装置において、
前記記憶手段の記憶領域を前記各記録再生手段毎に分割配置し、各分割配置した記憶領域にそれぞれ対応させた記録再生手段によって記録媒体に記憶するデータを記憶するようにし、
前記ネットワークに接続させた記録再生手段が前記記録媒体に対してデータの記録中であるか待機状態であるかを判断して認識する第１認識手段と、
前記ネットワークに接続させた記録再生手段による前記記録媒体へのデータの記録が正常であるか異常が発生したかを判断して認識する第２認識手段と、
前記第１認識手段と前記第２認識手段との認識結果を示す認識情報に基づいて、前記記録媒体へのデータの記録に異常が発生した原因が前記記録媒体にあるのか前記ネットワークに接続させた記録再生手段の故障にあるのかを判定する判定手段と、
前記第１認識手段と前記第２認識手段との認識情報と前記判定手段の判定結果を示す判定情報とからなる状態情報を記憶する状態情報記憶手段と、
前記状態情報記憶手段から前記状態情報を再生する状態情報再生手段と、
前記状態情報再生手段によって再生された状態情報を、前記ネットワーク上のデータの記録を指令した端末装置へ通知すると共に、修理の依頼を要求するか否かを選択させる手段と、
該手段によって修理の依頼の要求が選択された場合、前記ネットワーク上の保守メンテナンス担当の端末装置へ修理の依頼を通知する手段と、
前記判定手段によって前記記録媒体へのデータの記録に異常が発生した原因が前記記録媒体にあると判定した場合、前記ネットワークに接続させた記録再生手段の記録媒体が新たな記録媒体に交換されたことを認識した後、前記ネットワークに接続させた記録再生手段に対して分割配置された前記記憶手段の記憶領域から再度データを読み出して記録をやり直す手段と、
前記第２認識手段によってデータの記録に異常が発生したと認識した記録媒体の記録面に傷をつけて破壊する手段とを設けたことを特徴とする記録再生装置。
【発明の詳細な説明】
【技術分野】
【０００１】
この発明は、パーソナルコンピュータに直接接続された光ディスクドライブ、ネットワーク経由で接続された光ディスクドライブ、多連装光ディスクドライブを含む記録再生装置に関する。
【背景技術】
【０００２】
従来、次のような記録再生装置があった。
（１）装着されるディスクに対して光ピックアップを用いてデータの記録再生を行う際、所定のディスクを装着したときに、光ピックアップから見たディスクの偏心量をＤＳＰマイコンによって認識し、そのＤＳＰマイコンによって認識された偏心量に基づいて認識結果をフロントパネルブロックに出力する記録再生装置（例えば、特許文献１参照）。
（２）バッファアンダーラン発生時における記録停止及び記録再開場所を、ＥＦＭフレーム内のＥＦＭ同期信号及びサブコードデータ以外の場所に設定する記録再生装置（例えば、特許文献２参照）。
（３）ピックアップの受光部の汚れ具合いを検知して、その検知結果に基づいて信号増幅量を調整し、その調整レベルが所定レベル以上か否かを判別し、その判別結果に基づいて、ピックアップのクリーニング処理を行う記録再生装置（例えば、特許文献３参照）。
【０００３】
（４）複数のＣＤ−Ｒ／ＲＷドライブをネットワーク（イーサネット）に選択的に接続し、ネットワークを介して転送されたデータを一時的に保持した後に、上記選択的に接続されたＣＤ−Ｒ／ＲＷドライブによって光ディスクに書き込み、又は、上記選択的に接続されたＣＤ−Ｒ／ＲＷドライブによって光ディスクからデータを読み出し、その読み出したデータを一時的に保持した後に、ネットワークを介してデータ転送する記録再生装置（例えば、特許文献４参照）。
（５）パーソナルコンピュータに対してそのパーソナルコンピュータに接続されたファックスモデムを使用し、故障の発生を通知する文書を予め決められた所定の宛先へ送信するように命令する故障通知文書送信命令手段を設けた記録再生装置（例えば、特許文献５参照）。
【特許文献１】特開２００４−１２７３７７号公報
【特許文献２】特開２００２−９３０３６号公報
【特許文献３】特開２００１−２１６６３８号公報
【特許文献４】特開２０００−２０７１３８号公報
【特許文献５】特開平９−８３７６６号公報
【発明の開示】
【発明が解決しようとする課題】
【０００４】
しかしながら、従来の記録再生装置では、光ディスクへの記録に傷害が発生した場合、光ディスク自体の問題で記録を失敗したのか、或いは光ディスクドライブが故障したのかを区別することができなかったので、ユーザは、光ディスクを交換すれば問題が解消されるのか、光ディスクドライブ自体を交換すれば良いのかを判断できなかったという問題があった。
その問題を解決するものとして、上記（１）の記録再生装置では、光ディスクの偏心量を自己診断、自動計測することにより、光ディスクに原因があることを判断するようにしている。
しかしながら、そのような記録再生装置では、光ディスクの偏心量を計測する手段を装置に付加しなければならないので、装置の小型化が困難になり、コストがアップするという問題があった。
【０００５】
次に、光ディスク自体の問題で記録を失敗した場合、データの記録をやり直すためには、ユーザが記録データの登録や記録条件の設定を再度行うといった手間がかかるという問題があった。
バッファーアンダーランと呼ばれるデータ転送のエラーに対応したものであるが、その問題を解決するものとして、上記（２）の記録再生装置では、バッファーアンダーランで記録を停止した光ディスクに対して、未記録の領域に記録を自動的にやり直すことによってユーザが記録データの登録や記録条件の設定を再度行う手間を省くようにしている。
しかしながら、そのような記録再生装置では、記録データ量が空いている未記録領域の容量を越えている場合、新しい光ディスクに記録をやり直すことが必要になるという問題があった。
【０００６】
次に、光ディスクドライブが故障した場合、光ディスクドライブを交換するまで記録を行うことができないという問題があった。
例えば、上記（４）の記録再生装置では、複数台の光ディスクドライブを備えた多連装光ディスクドライブ装置なので、例え一台の光ディスクドライブが故障しても、正常に動作している他の光ディスクドライブを選択すれば情報の記録を行える。
しかしながら、そのような記録再生装置では、どの光ディスクドライブが正常動作し、待機中であるかを判断することができないので、一台の光ディスクドライブが故障したときに正常動作する光ディスクドライブを選択して自動的にデータを記録することができないという問題があった。
【０００７】
次に、図１２に示すように、従来の多連装光ディスクドライブ装置５０では、複数台の光ディスクドライブを備えた多連装光ディスクドライブ５２によって、ＰＣ５１からのデータを制御ユニット５３の制御処理により記録し、その記録済の光ディスクを共通の場所に排出するので、その排出された光ディスクがデータ記録を失敗した光ディスクなのか成功した光ディスクなのかを簡単に区別することができないという問題があった。
次に、データ記録に失敗した光ディスクでも、部分的に再生できる可能性があるため、そのまま廃棄すると情報が漏洩するという問題があった。
この発明は上記の点に鑑みてなされたものであり、記録媒体へのデータ記録の失敗が記録媒体の異常によるものなのか記録再生装置の故障による異常によるものなのかを正確に判断できるようにすることを目的とする。
【課題を解決するための手段】
【０００８】
この発明は上記の目的を達成するため、次の記録再生装置を提供する。
（１）記録媒体に対するデータの記録と再生を行う記録再生手段と、上記記録媒体に記録するデータ又は上記記録媒体から再生したデータを記憶する記憶手段と、上記記憶手段に対するデータの書き込みと読み出しと上記記録再生手段に対するデータの記録の書き込み及びデータの再生の読み出しを制御する制御手段を備えた記録再生装置において、上記記録再生手段が上記記録媒体に対してデータの記録中であるか待機状態であるかを判断して認識する第１認識手段と、上記記録再生手段による上記記録媒体へのデータの記録が正常であるか異常が発生したかを判断して認識する第２認識手段と、上記第１認識手段と上記第２認識手段との認識結果を示す認識情報に基づいて、上記記録媒体へのデータの記録に異常が発生した原因が上記記録媒体にあるのか上記記録再生手段の故障にあるのかを判定する判定手段と、上記第１認識手段と上記第２認識手段との認識情報と上記判定手段の判定結果を示す判定情報とからなる状態情報を記憶する状態情報記憶手段と、上記状態情報記憶手段から上記状態情報を再生する状態情報再生手段と、上記状態情報再生手段によって再生された状態情報に基づいて、上記記録再生手段の動作状態を表示する表示手段を設けた記録再生装置。
【０００９】
（２）ネットワークへの接続手段と、記録媒体に対するデータの記録と再生を行う複数の記録再生手段と、上記複数の記録再生手段をそれぞれ上記接続手段を介して選択的に上記ネットワークに接続させる手段と、その手段によって接続させた記録再生手段の記録媒体に記録する上記ネットワークを介して転送されたデータ又は上記記録媒体から再生したデータを記憶する記憶手段と、上記記憶手段に対するデータの書き込みと読み出しと上記記録再生手段に対するデータの記録の書き込み及びデータの再生の読み出しを制御する制御手段と、上記記憶手段に記憶されたデータを上記ネットワークを介して転送する手段を備えた記録再生装置において、上記ネットワークに接続させた記録再生手段が上記記録媒体に対してデータの記録中であるか待機状態であるかを判断して認識する第１認識手段と、上記ネットワークに接続させた記録再生手段による上記記録媒体へのデータの記録が正常であるか異常が発生したかを判断して認識する第２認識手段と、上記第１認識手段と上記第２認識手段との認識結果を示す認識情報に基づいて、上記記録媒体へのデータの記録に異常が発生した原因が上記記録媒体にあるのか上記ネットワークに接続させた記録再生手段の故障にあるのかを判定する判定手段と、上記第１認識手段と上記第２認識手段との認識情報と上記判定手段の判定結果を示す判定情報とからなる状態情報を記憶する状態情報記憶手段と、上記状態情報記憶手段から上記状態情報を再生する状態情報再生手段と、上記状態情報再生手段によって再生された状態情報を、上記ネットワーク上のデータの記録を指令した端末装置へ通知する手段を設けた記録再生装置。
【００１０】
（３）ネットワークへの接続手段と、記録媒体に対するデータの記録と再生を行う複数の記録再生手段と、上記複数の記録再生手段をそれぞれ上記接続手段を介して選択的に上記ネットワークに接続させる手段と、その手段によって接続させた記録再生手段の記録媒体に記録する上記ネットワークを介して転送されたデータ又は上記記録媒体から再生したデータを記憶する記憶手段と、上記記憶手段に対するデータの書き込みと読み出しと上記記録再生手段に対するデータの記録の書き込み及びデータの再生の読み出しを制御する制御手段と、上記記憶手段に記憶されたデータを上記ネットワークを介して転送する手段を備えた記録再生装置において、上記ネットワークに接続させた記録再生手段が上記記録媒体に対してデータの記録中であるか待機状態であるかを判断して認識する第１認識手段と、上記ネットワークに接続させた記録再生手段による上記記録媒体へのデータの記録が正常であるか異常が発生したかを判断して認識する第２認識手段と、上記第１認識手段と上記第２認識手段との認識結果を示す認識情報に基づいて、上記記録媒体へのデータの記録に異常が発生した原因が上記記録媒体にあるのか上記ネットワークに接続させた記録再生手段の故障にあるのかを判定する判定手段と、上記第１認識手段と上記第２認識手段との認識情報と上記判定手段の判定結果を示す判定情報とからなる状態情報を記憶する状態情報記憶手段と、上記状態情報記憶手段から上記状態情報を再生する状態情報再生手段と、上記状態情報再生手段によって再生された状態情報を、上記ネットワーク上のデータの記録を指令した端末装置へ通知すると共に、修理の依頼を要求するか否かを選択させる手段と、その手段によって修理の依頼の要求が選択された場合、上記ネットワーク上の保守メンテナンス担当の端末装置へ修理の依頼を通知する手段を設けた記録再生装置。
【００１１】
（４）ネットワークへの接続手段と、記録媒体に対するデータの記録と再生を行う複数の記録再生手段と、上記複数の記録再生手段をそれぞれ上記接続手段を介して選択的に上記ネットワークに接続させる手段と、その手段によって接続させた記録再生手段の記録媒体に記録する上記ネットワークを介して転送されたデータ又は上記記録媒体から再生したデータを記憶する記憶手段と、上記記憶手段に対するデータの書き込みと読み出しと上記記録再生手段に対するデータの記録の書き込み及びデータの再生の読み出しを制御する制御手段と、上記記憶手段に記憶されたデータを上記ネットワークを介して転送する手段を備えた記録再生装置において、上記記憶手段の記憶領域を上記各記録再生手段毎に分割配置し、各分割配置した記憶領域にそれぞれ対応させた記録再生手段によって記録媒体に記憶するデータを記憶するようにし、上記ネットワークに接続させた記録再生手段が上記記録媒体に対してデータの記録中であるか待機状態であるかを判断して認識する第１認識手段と、上記ネットワークに接続させた記録再生手段による上記記録媒体へのデータの記録が正常であるか異常が発生したかを判断して認識する第２認識手段と、上記第１認識手段と上記第２認識手段との認識結果を示す認識情報に基づいて、上記記録媒体へのデータの記録に異常が発生した原因が上記記録媒体にあるのか上記ネットワークに接続させた記録再生手段の故障にあるのかを判定する判定手段と、上記第１認識手段と上記第２認識手段との認識情報と上記判定手段の判定結果を示す判定情報とからなる状態情報を記憶する状態情報記憶手段と、上記状態情報記憶手段から上記状態情報を再生する状態情報再生手段と、上記判定手段によって上記記録媒体へのデータの記録に異常が発生した原因が上記記録媒体にあると判定した場合、上記ネットワークに接続させた記録再生手段の記録媒体が新たな記録媒体に交換されたことを認識した後、上記ネットワークに接続させた記録再生手段に対して分割配置された上記記憶手段の記憶領域から再度データを読み出して記録をやり直す手段を設けた記録再生装置。
【００１２】
（５）ネットワークへの接続手段と、記録媒体に対するデータの記録と再生を行う複数の記録再生手段と、上記複数の記録再生手段をそれぞれ上記接続手段を介して選択的に上記ネットワークに接続させる手段と、その手段によって接続させた記録再生手段の記録媒体に記録する上記ネットワークを介して転送されたデータ又は上記記録媒体から再生したデータを記憶する記憶手段と、上記記憶手段に対するデータの書き込みと読み出しと上記記録再生手段に対するデータの記録の書き込み及びデータの再生の読み出しを制御する制御手段と、上記記憶手段に記憶されたデータを上記ネットワークを介して転送する手段を備えた記録再生装置において、上記記憶手段の記憶領域を上記各記録再生手段毎に分割配置し、各分割配置した記憶領域にそれぞれ対応させた記録再生手段によって記録媒体に記憶するデータを記憶するようにし、上記ネットワークに接続させた記録再生手段が上記記録媒体に対してデータの記録中であるか待機状態であるかを判断して認識する第１認識手段と、上記ネットワークに接続させた記録再生手段による上記記録媒体へのデータの記録が正常であるか異常が発生したかを判断して認識する第２認識手段と、上記第１認識手段と上記第２認識手段との認識結果を示す認識情報に基づいて、上記記録媒体へのデータの記録に異常が発生した原因が上記記録媒体にあるのか上記ネットワークに接続させた記録再生手段の故障にあるのかを判定する判定手段と、上記第１認識手段と上記第２認識手段との認識情報と上記判定手段の判定結果を示す判定情報とからなる状態情報を記憶する状態情報記憶手段と、上記状態情報記憶手段から上記状態情報を再生する状態情報再生手段と、上記状態情報再生手段によって再生された状態情報を、上記ネットワーク上のデータの記録を指令した端末装置へ通知すると共に、修理の依頼を要求するか否かを選択させる手段と、その手段によって修理の依頼の要求が選択された場合、上記ネットワーク上の保守メンテナンス担当の端末装置へ修理の依頼を通知する手段と、上記状態情報再生手段によって再生された状態情報に基づいて記録待ち状態で正常に動作する記録再生手段を選別する手段と、その手段によって選別した記録再生手段が新たな記録媒体に交換されたことを認識した後、上記選別した記録再生手段に対して分割配置された上記記憶手段の記憶領域から再度データを読み出して記録を代行する手段を設けた記録再生装置。
【００１３】
（６）記録媒体に対するデータの記録と再生を行う記録再生手段と、上記記録媒体に記録するデータ又は上記記録媒体から再生したデータを記憶する記憶手段と、上記記憶手段に対するデータの書き込みと読み出しと上記記録再生手段に対するデータの記録の書き込み及びデータの再生の読み出しを制御する制御手段と、上記記録媒体のレーベル面にラベル印刷するラベル印刷手段を備えた記録再生装置において、上記記録再生手段が上記記録媒体に対してデータの記録中であるか待機状態であるかを判断して認識する第１認識手段と、上記記録再生手段による上記記録媒体へのデータの記録が正常であるか異常が発生したかを判断して認識する第２認識手段と、上記第１認識手段と上記第２認識手段との認識結果を示す認識情報に基づいて、上記記録媒体へのデータの記録に異常が発生した原因が上記記録媒体にあるのか上記記録再生手段の故障にあるのかを判定する判定手段と、上記第１認識手段と上記第２認識手段との認識情報と上記判定手段の判定結果を示す判定情報とからなる状態情報と、上記ラベル印刷手段に搬送される記録媒体の順番を示す順番情報とを記憶する状態情報記憶手段と、上記状態情報記憶手段から上記状態情報と上記順番情報とを再生する状態情報再生手段と、上記状態情報再生手段によって再生された状態情報と順番情報とに基づいて、上記ラベル印刷手段に搬送される記録媒体の中からデータの記録に異常が発生した原因がある記録媒体を選択し、その選択した記録媒体に上記ラベル印刷手段によってデータの記録に異常が発生したことを示す情報をレーベル面にラベル印刷させる手段を設けた記録再生装置。
【００１４】
（７）記録媒体に対するデータの記録と再生を行う記録再生手段と、上記記録媒体に記録するデータ又は上記記録媒体から再生したデータを記憶する記憶手段と、上記記憶手段に対するデータの書き込みと読み出しと上記記録再生手段に対するデータの記録の書き込み及びデータの再生の読み出しを制御する制御手段を備えた記録再生装置において、上記記録再生手段が上記記録媒体に対してデータの記録中であるか待機状態であるかを判断して認識する第１認識手段と、上記記録再生手段による上記記録媒体へのデータの記録が正常であるか異常が発生したかを判断して認識する第２認識手段と、上記第１認識手段と上記第２認識手段との認識結果を示す認識情報に基づいて、上記記録媒体へのデータの記録に異常が発生した原因が上記記録媒体にあるのか上記記録再生手段の故障にあるのかを判定する判定手段と、上記第１認識手段と上記第２認識手段との認識情報と上記判定手段の判定結果を示す判定情報とからなる状態情報と、上記記録再生手段から排出トレイに搬送される記録媒体の順番を示す順番情報とを記憶する状態情報記憶手段と、上記状態情報記憶手段から上記状態情報と上記順番情報とを再生する状態情報再生手段と、上記状態情報再生手段によって再生された状態情報と順番情報とに基づいて、上記排出トレイに搬送される記録媒体の中からデータの記録に異常が発生した原因がある記録媒体を選択し、その選択した記録媒体の記録面に傷をつけて破壊する手段を設けた記録再生装置。
【００１５】
（８）ネットワークへの接続手段と、記録媒体に対するデータの記録と再生を行う複数の記録再生手段と、上記複数の記録再生手段をそれぞれ上記接続手段を介して選択的に上記ネットワークに接続させる手段と、その手段によって接続させた記録再生手段の記録媒体に記録する上記ネットワークを介して転送されたデータ又は上記記録媒体から再生したデータを記憶する記憶手段と、上記記憶手段に対するデータの書き込みと読み出しと上記記録再生手段に対するデータの記録の書き込み及びデータの再生の読み出しを制御する制御手段と、上記記憶手段に記憶されたデータを上記ネットワークを介して転送する手段を備えた記録再生装置において、上記記憶手段の記憶領域を上記各記録再生手段毎に分割配置し、各分割配置した記憶領域にそれぞれ対応させた記録再生手段によって記録媒体に記憶するデータを記憶するようにし、上記ネットワークに接続させた記録再生手段が上記記録媒体に対してデータの記録中であるか待機状態であるかを判断して認識する第１認識手段と、上記ネットワークに接続させた記録再生手段による上記記録媒体へのデータの記録が正常であるか異常が発生したかを判断して認識する第２認識手段と、上記第１認識手段と上記第２認識手段との認識結果を示す認識情報に基づいて、上記記録媒体へのデータの記録に異常が発生した原因が上記記録媒体にあるのか上記ネットワークに接続させた記録再生手段の故障にあるのかを判定する判定手段と、上記第１認識手段と上記第２認識手段との認識情報と上記判定手段の判定結果を示す判定情報とからなる状態情報を記憶する状態情報記憶手段と、上記状態情報記憶手段から上記状態情報を再生する状態情報再生手段と、上記状態情報再生手段によって再生された状態情報を、上記ネットワーク上のデータの記録を指令した端末装置へ通知する手段と、上記判定手段によって上記記録媒体へのデータの記録に異常が発生した原因が上記記録媒体にあると判定した場合、上記ネットワークに接続させた記録再生手段の記録媒体が新たな記録媒体に交換されたことを認識した後、上記ネットワークに接続させた記録再生手段に対して分割配置された上記記憶手段の記憶領域から再度データを読み出して記録をやり直す手段と、上記判定手段によってデータの記録に異常が発生した原因があると判定した記録媒体のレーベル面にデータの記録に異常が発生したことを示す情報をラベル印刷する手段を設けた記録再生装置。
【００１６】
（９）ネットワークへの接続手段と、記録媒体に対するデータの記録と再生を行う複数の記録再生手段と、上記複数の記録再生手段をそれぞれ上記接続手段を介して選択的に上記ネットワークに接続させる手段と、その手段によって接続させた記録再生手段の記録媒体に記録する上記ネットワークを介して転送されたデータ又は上記記録媒体から再生したデータを記憶する記憶手段と、上記記憶手段に対するデータの書き込みと読み出しと上記記録再生手段に対するデータの記録の書き込み及びデータの再生の読み出しを制御する制御手段と、上記記憶手段に記憶されたデータを上記ネットワークを介して転送する手段を備えた記録再生装置において、上記記憶手段の記憶領域を上記各記録再生手段毎に分割配置し、各分割配置した記憶領域にそれぞれ対応させた記録再生手段によって記録媒体に記憶するデータを記憶するようにし、上記ネットワークに接続させた記録再生手段が上記記録媒体に対してデータの記録中であるか待機状態であるかを判断して認識する第１認識手段と、上記ネットワークに接続させた記録再生手段による上記記録媒体へのデータの記録が正常であるか異常が発生したかを判断して認識する第２認識手段と、上記第１認識手段と上記第２認識手段との認識結果を示す認識情報に基づいて、上記記録媒体へのデータの記録に異常が発生した原因が上記記録媒体にあるのか上記ネットワークに接続させた記録再生手段の故障にあるのかを判定する判定手段と、上記第１認識手段と上記第２認識手段との認識情報と上記判定手段の判定結果を示す判定情報とからなる状態情報を記憶する状態情報記憶手段と、上記状態情報記憶手段から上記状態情報を再生する状態情報再生手段と、上記状態情報再生手段によって再生された状態情報を、上記ネットワーク上のデータの記録を指令した端末装置へ通知すると共に、修理の依頼を要求するか否かを選択させる手段と、その手段によって修理の依頼の要求が選択された場合、上記ネットワーク上の保守メンテナンス担当の端末装置へ修理の依頼を通知する手段と、上記判定手段によって上記記録媒体へのデータの記録に異常が発生した原因が上記記録媒体にあると判定した場合、上記ネットワークに接続させた記録再生手段の記録媒体が新たな記録媒体に交換されたことを認識した後、上記ネットワークに接続させた記録再生手段に対して分割配置された上記記憶手段の記憶領域から再度データを読み出して記録をやり直す手段と、上記第２認識手段によってデータの記録に異常が発生したと認識した記録媒体の記録面に傷をつけて破壊する手段を設けた記録再生装置。
【発明の効果】
【００１７】
この発明による記録再生装置は、記録媒体へのデータ記録の失敗が記録媒体の異常によるものなのか記録再生装置の故障によって生じた異常によるものなのかを正確に判断することができる。
【発明を実施するための最良の形態】
【００１８】
以下、この発明を実施するための最良の形態を図面に基づいて具体的に説明する。
図１は、この発明の実施例１の光ディスクドライブ装置の構成を示す図である。
図２は、図１に示す光ディスクドライブの動作状態の表示例の図である。
図３は、この発明の実施例２〜６の多連装光ディスクドライブシステムの構成を示す図である。
図４は、図３に示す多連装光ディスクドライブの動作状態の表示例の図である。
図５は、図３に示す制御ユニットと多連装光ディスクドライブの詳細な内部構成を示す図である。
【００１９】
図６は、図３に示す制御ユニットと多連装光ディスクドライブの詳細な内部構成の他の例を示す図である。
図７は、この発明の実施例７のラベル印刷機能付き多連装光ディスクドライブシステムの構成を示す図である。
図８は、ラベル印刷の説明に供する光ディスクの概観図である。
図９は、この発明の実施例８の光ディスク破壊装置付き多連装光ディスクドライブシステムの構成を示す図である。
図１０は、光ディスクの破壊の説明に供する光ディスクの概観図である。
図１１は、光ディスクの他の破壊例の説明に供する光ディスクの概観図である。
【００２０】
〔実施例１〕
この発明の記録再生装置の実施例１の光ディスクドライブ装置１は、図１に示すように、光ディスクドライブ２と、パーソナルコンピュータ（ＰＣ）３と、表示装置４とからなる。
光ディスクドライブ２は、光ディスク（記録媒体）１１に対するデータの記録と再生を行い、インタフェース（Ｉ／Ｆ）５によってＰＣ３とデータのやり取りが可能に接続されている。
ＰＣ３は、ＣＲＴ６，ＣＰＵ７，ＲＡＭ８，ハードディスク装置（ＨＤＤ）９，ＵＳＢハブ１０からなり、ＣＲＴ６はＰＣ３上の操作画面と各種の処理結果と光ディスクドライブ２の光ディスク１１に記録するデータと光ディスク１１から再生したデータを含む各種のデータを表示する表示装置である。
【００２１】
ＣＰＵ７はこのＰＣ３の全体の制御を司り、この発明に係る制御処理を実行する。
ＲＡＭ８，ＨＤＤ９は光ディスク１１に記録するデータ又は光ディスク１１から再生したデータと、光ディスクドライブ２の状態情報を記憶する。
ＵＳＢハブ１０は、光ディスクドライブ２のＩ／Ｆ５とデータのやり取りが可能に接続するインタフェースである。
表示装置４は、ＣＰＵ７の制御によって光ディスクドライブ２の動作状態を表示する。
すなわち、上記光ディスクドライブ２が、記録媒体に対するデータの記録と再生を行う記録再生手段の機能を果たす。
また、上記ＲＡＭ８，ＨＤＤ９が、記録媒体に記録するデータ又は記録媒体から再生したデータを記憶する記憶手段と、第１認識手段と第２認識手段との認識情報と判定手段の判定結果を示す判定情報とからなる状態情報を記憶する状態情報記憶手段の機能を果たす。
【００２２】
さらに、上記ＣＰＵ７が、記憶手段に対するデータの書き込みと読み出しと記録再生手段に対するデータの記録の書き込み及びデータの再生の読み出しを制御する制御手段と、記録再生手段が記録媒体に対してデータの記録中であるか待機状態であるかを判断して認識する第１認識手段と、記録再生手段による記録媒体へのデータの記録が正常であるか異常が発生したかを判断して認識する第２認識手段と、第１認識手段と第２認識手段との認識結果を示す認識情報に基づいて、記録媒体へのデータの記録に異常が発生した原因が記録媒体にあるのか記録再生手段の故障にあるのかを判定する判定手段と、状態情報記憶手段から状態情報を再生する状態情報再生手段との機能を果たす。
さらにまた、上記ＣＰＵ７，表示装置４が、状態情報再生手段によって再生された状態情報に基づいて、記録再生手段の動作状態を表示する表示手段の機能を果たす。
【００２３】
次に、光ディスクドライブ装置１によるデータの記録と再生の処理について説明する。
ＰＣ３のＣＰＵ７は、データ記録命令により、ＲＡＭ２７又はＨＤＤ２８の光ディスクに記録するデータを光ディスクドライブ２へ送り、光ディスクドライブ２は光ディスク１１にそのデータを書き込んで記録する。
また、データ再生命令により、光ディスクドライブ２によって光ディスク１１からデータを読み出してＲＡＭ２７又はＨＤＤ２８に記憶し、ＣＲＴ６にそのデータを表示する。
【００２４】
次に、光ディスクドライブ装置１による光ディスクドライブ２の動作状態を表示する処理について説明する。
ＰＣ３のＣＰＵ７は、光ディスクドライブ２が光ディスク１１に対してデータの記録中であるか待機状態であるかを判断して認識する。例えば、ＰＣ３側からＵＳＢハブ１０経由で光ディスクドライブ２に対してデータ記録命令を指示したら光ディスクドライブ２がデータ記録中であると判断して認識し、光ディスクドライブ２に対してデータ記録命令を指示していなければ光ディスクドライブ２が待機状態であると判断して認識する。
ＣＰＵ７は、次に、光ディスク１１へのデータの記録が正常であるか異常が発生したかを判断して認識する。例えば、ＵＳＢハブ１０経由で光ディスクドライブ２からデータ記録前の待機中に実施する自己診断処理結果、データ記録中に光ディスクドライブ２から返答される状態情報に基づいて、光ディスク１１へのデータの記録が正常であるか異常が発生したかを判断して認識する。
【００２５】
表１は、光ディスクドライブ装置における光ディスク、例えばＣＤ−Ｒディスク，ＣＤ−ＲＷディスクに対するデータ記録時の処理工程とその各工程での動作の説明を示す表である。表２は、表１に示す各処理工程における異常発生原因と異常現象の説明を示す表である。
【００２６】
光ディスクドライブ装置１におけるＣＤ−Ｒディスク，ＣＤ−ＲＷディスクに対するデータ記録の動作は、大まかに分けると表１に示す「（Ｓ１）光ディスクの挿入」「（Ｓ２）光ディスクの認識」「（Ｓ３）試し記録」「（Ｓ４）記録開始位置に光学ヘッドを移動」「（Ｓ５）データの記録」「（Ｓ６）ファイナライズ」「（Ｓ７）光ディスクの排出」の７つのステップの各処理工程からなる。
上記７つの処理工程における異常が発生するケースの中で一般的に多い異常発生原因とその異常現象については表２に示すとおりである。
表２の中で、光ディスクの偏心による異常とそれに伴うフォーカスやトラックのエラーについては、公知なのでその説明を省略する（例えば、特許文献１参照）。
【００２７】
ＣＰＵ７は、次に、上記各認識結果を示す認識情報に基づいて、光ディスク１１へのデータの記録に異常が発生した原因が光ディスク１１にあるのか光ディスクドライブ２の故障にあるのかを判定する。
例えば、表２中の「異常発生原因と異常現象の説明」の中で、「（２）光ディスクの認識エラー」と「（５）データ記録エラー」において、光ディスクと光ディスクドライブの両方に原因があるものがある。
上記（２）に関しては、光ディスクドライブが待機中に、光源であるレーザダイオード（ＬＤ）の光量を自己診断処理することにより、その原因が光ディスクと光ディスクドライブのどちらかにあるかを判定することができる。
【００２８】
一般的に、ＬＤの光量の自己診断処理は、光ディスクドライブ２に電源が投入された時にチェックを行う。その自己診断処理結果が正常であれば、エラーの原因は光ディスク１１によるものと断定して良い。
すなわち、ＣＰＵ７は光ディスクドライブ２の自己診断処理結果が正常であれば、光ディスク１１へのデータの記録に異常が発生した原因が光ディスク１１にあると判定する。また、自己診断処理結果が異常であれば、光ディスク１１へのデータの記録に異常が発生した原因が光ディスクドライブ２の故障にあると判定する。
なお、ＬＤの光量の低下が起きる原因については、公知なのでその説明を省略する（例えば、特許文献３参照）。
【００２９】
また、上記（５）に関しては、データを記録中にデータ転送を監視することにより、転送にエラーがなければ、エラーの原因は光ディスクによるものと断定して良い。
すなわち、ＣＰＵ７は、データ転送エラーが無ければ、光ディスク１１へのデータの記録に異常が発生した原因が光ディスク１１にあると判定する。また、データ転送エラーがあれば、光ディスク１１へのデータの記録に異常が発生した原因が光ディスクドライブ２の故障にあると判定する。
なお、転送エラーについては、公知なのでその説明を省略する（例えば、特許文献２参照）。
【００３０】
このように、光ディスクドライブ２がデータ記録中か待機中であるかの情報と、光ディスクドライブ装置１からＰＣ３に返される状態情報（例えば、自己診断処理に対する正常／異常の応答結果、データの転送の正常／異常の応答結果、表１に示したデータ記録の各動作処理を実行する指令コマンドに対する正常／異常の応答結果）を組み合わせることにより、表２中に示す異常発生原因を場合分けすることができ、光ディスク１１による記録異常なのか光ディスクドライブ２の故障による記録異常なのかを判断することができる。      
【００３１】
ＣＰＵ７は、次に、上記処理で認識した認識情報と上記判定処理の判定結果を示す判定情報とからなる状態情報を、例えば、図１に示すＲＡＭ８又はＨＤＤ９の状態情報記憶領域に記憶して保持する。
次に、ＣＰＵ７は、ＲＡＭ８又はＨＤＤ９から状態情報を再生する。
次に、ＣＰＵ７は、上記再生された状態情報に基づいて、表示装置４に光ディスクドライブ２の動作状態を表示する。
その動作状態の表示については、光ディスク１１へのデータの記録に異常が発生した原因が光ディスク１１にある場合には、図２に示すように、光ディスクドライブ（ＯＤＵ）欄の記録異常を示すＬＥＤを点灯し（その際、故障を示すＬＥＤは消灯）、光ディスク１１へのデータの記録に異常が発生した原因が光ディスクドライブ２にある場合には、図２に示すように、光ディスクドライブ（ＯＤＵ）欄の故障を示すＬＥＤを点灯する（その際、記録異常を示すＬＥＤは消灯）。
【００３２】
こうして、ユーザが、表示装置４の表示内容によって、光ディスク１１による異常なのか、光ディスクドライブ自体の故障による異常なのかを知ることができるので、ユーザは新たな光ディスクで記録をやり直せばよいのか、光ディスクドライブを修理すればよいのかを判断することができる。
実施例１の光ディスクドライブ装置は、光ディスクへのデータ記録に傷害が発生した場合、光ディスク自体の問題で記録を失敗したのか、光ディスクドライブが故障したために記録を失敗したのかを自動的に判定し、その判定結果を表示装置に表示するので、ユーザはデータ記録の失敗の原因が光ディスクにあるのか光ディスクドライブにあるのかを容易に知ることができ、新たな光ディスクで記録をやり直せばよいのか、光ディスクドライブを交換すれば問題が解消されるのかを正確に判断することができる。
【００３３】
〔実施例２〕
この発明の記録再生装置の実施例２の多連装光ディスクドライブシステムは、図３に示すように、多連装光ディスクドライブ装置２０と、複数台のパーソナルコンピュータ（ＰＣ）２１とがローカルエリアネットワーク（ＬＡＮ）を含むネットワーク２２を介してデータ通信可能に接続されている。
多連装光ディスクドライブ装置２０は、多連装光ディスクドライブ２３と、制御ユニット２４と、表示装置２５とからなる。
多連装光ディスクドライブ２３は、複数台の光ディスクドライブからなり、それぞれのドライブでの光ディスク（記録媒体）に対するデータの記録と再生を行い、それぞれのインタフェース（Ｉ／Ｆ）によって制御ユニット２４とデータのやり取りが可能に接続されている。図３には、Ｎ（Ｎは２以上の整数）台の光ディスクドライブ（ＯＤＵ）からなる例を示している。
【００３４】
制御ユニット２４は、ＣＰＵ／ＭＰＵ２６，ＲＡＭ２７，ＨＤＤ２８，ＵＳＢハブ２９，インタフェース（Ｉ／Ｆ）３０からなる。
また、図５に示すように、多連装光ディスクドライブ２３に不揮発性メモリ３１を設け、その不揮発性メモリ３１に各光ディスクドライブの状態情報を記憶してもよいし、図６に示すように、ＨＤＤ２８の記憶領域に状態情報記憶領域３２を設け、その状態情報記憶領域３２に多連装光ディスクドライブ２３の各光ディスクドライブの状態情報を記憶するようにしてもよい。
ＣＰＵ／ＭＰＵ２６はこの多連装光ディスクドライブ装置２０の全体の制御を司り、この発明に係る制御処理を実行する。
ＲＡＭ２７，ＨＤＤ２８は、多連装光ディスクドライブ２３の各光ディスクドライブにおける光ディスクに記録するデータ又は各光ディスクドライブにおける光ディスクから再生したデータと、各光ディスクドライブの状態情報を記憶する。
【００３５】
ＵＳＢハブ２９は、多連装光ディスクドライブ２３の各光ディスクドライブのＩ／Ｆとデータのやり取りが可能に接続するインタフェースである。
Ｉ／Ｆ３０は、ネットワーク２２上の各ＰＣ２１と多連装光ディスクドライブ装置２０とのデータのやり取りを可能に接続する。
表示装置２５は、ＣＰＵ／ＭＰＵ２６の制御によって多連装光ディスクドライブ装置２０の各光ディスクドライブの動作状態を表示する。
すなわち、上記Ｉ／Ｆ３０がネットワークへの接続手段の機能を果たす。
また、上記多連装光ディスクドライブ２３が、記録媒体に対するデータの記録と再生を行う複数の記録再生手段に相当する。
【００３６】
さらに、上記ＣＰＵ／ＭＰＵ２６が、複数の記録再生手段をそれぞれ接続手段を介して選択的にネットワークに接続させる手段と、記憶手段に対するデータの書き込みと読み出しと記録再生手段に対するデータの記録の書き込み及びデータの再生の読み出しを制御する制御手段と、記憶手段に記憶されたデータをネットワークを介して転送する手段と、ネットワークに接続させた記録再生手段が記録媒体に対してデータの記録中であるか待機状態であるかを判断して認識する第１認識手段と、ネットワークに接続させた記録再生手段による記録媒体へのデータの記録が正常であるか異常が発生したかを判断して認識する第２認識手段と、第１認識手段と第２認識手段との認識結果を示す認識情報に基づいて、記録媒体へのデータの記録に異常が発生した原因が記録媒体にあるのかネットワークに接続させた記録再生手段の故障にあるのかを判定する判定手段と、状態情報記憶手段から前記状態情報を再生する状態情報再生手段の機能を果たす。
【００３７】
また、上記ＲＡＭ２７，ＨＤＤ２８が、記録再生手段の記録媒体に記録するネットワークを介して転送されたデータ又は記録媒体から再生したデータを記憶する記憶手段の機能を果たす。
さらに、上記不揮発性メモリ３１，ＨＤＤ２８の状態情報記憶領域３２が、第１認識手段と第２認識手段との認識情報と判定手段の判定結果を示す判定情報とからなる状態情報を記憶する状態情報記憶手段の機能を果たす。
さらにまた、上記ＣＰＵ／ＭＰＵ２６，表示装置２５が、状態情報再生手段によって再生された状態情報に基づいて、記録再生手段の動作状態を表示する表示手段の機能を果たす。
【００３８】
次に、多連装光ディスクドライブ装置２０によるデータの記録と再生の処理について説明する。
制御ユニット２４のＣＰＵ／ＭＰＵ２６は、ネットワーク２２上のＰＣ２１からデータ記録命令を受けると、多連装光ディスクドライブ装置２０の複数の光ディスクドライブの中からＩ／Ｆ３０を介して選択的にネットワーク２２に接続させ、ネットワーク２２を介してＰＣ２１から転送された光ディスクに記録するデータをＲＡＭ２７又はＨＤＤ２８に書き込んで記憶し、そのデータを多連装光ディスクドライブ装置２０のネットワーク２２に接続した光ディスクドライブへ送り、その光ディスクドライブによって光ディスクにデータを書き込んで記録する。
【００３９】
また、ネットワーク２２上のＰＣ２１からデータ再生命令を受けると、多連装光ディスクドライブ装置２０の複数の光ディスクドライブの中からＰＣ２１によって指定された光ディスクドライブをＩ／Ｆ３０を介してネットワーク２２に接続させ、その光ディスクドライブによって光ディスクから指定されたデータを読み出し、その読み出したデータをＲＡＭ２７又はＨＤＤ２８に書き込んで記憶し、そのデータをネットワーク２２上の再生依頼があったＰＣ２１に転送する。
【００４０】
次に、多連装光ディスクドライブ装置２０による多連装光ディスクドライブ２３の動作状態を表示する処理について説明する。
制御ユニット２４のＣＰＵ／ＭＰＵ２６は、多連装光ディスクドライブ２３のネットワーク２２に接続させた光ディスクドライブを含む各光ディスクドライブが光ディスクに対してデータの記録中であるか待機状態であるかを判断して認識する。例えば、ＰＣ２１側からのデータ記録命令に基づいてＵＳＢハブ１０経由で多連装光ディスクドライブ２３のネットワーク２２に接続させた光ディスクドライブに対してデータ記録命令を指示したら、その光ディスクドライブがデータ記録中であると判断して認識し、光ディスクドライブに対してデータ記録命令を指示していなければ、その光ディスクドライブが待機状態であると判断して認識する。
【００４１】
ＣＰＵ／ＭＰＵ２６は、次に、ネットワーク２２に接続させた光ディスクドライブを含む各光ディスクドライブにおける光ディスクへのデータの記録が正常であるか異常が発生したかを判断して認識する。例えば、ＵＳＢハブ１０経由で多連装光ディスクドライブ２３の各光ディスクドライブからデータ記録前の待機中に実施する自己診断処理結果、データ記録中に光ディスクドライブから返答される状態情報に基づいて、光ディスクへのデータの記録が正常であるか異常が発生したかを判断して認識する。
【００４２】
ＣＰＵ／ＭＰＵ２６は、次に、上記各認識結果を示す認識情報に基づいて、各光ディスクドライブにおける光ディスクへのデータの記録に異常が発生した原因が光ディスクにあるのか光ディスクドライブの故障にあるのかを判定する。その判定処理は、上記実施例１と同じようにして行う。
ＣＰＵ／ＭＰＵ２６は、次に、上記処理で認識した認識情報と上記判定処理の判定結果を示す判定情報とからなる状態情報を、電源を落としても保持されるように、例えば、図５に示す不揮発性メモリ３１の各光ディスクドライブに対応した状態情報記憶領域にそれぞれ記憶して保持する。或いは、図６に示すＨＤＤ２８の状態情報記憶領域３２の各光ディスクドライブに対応した領域にそれぞれ記憶して保持する。
【００４３】
次に、ＣＰＵ／ＭＰＵ２６は、不揮発性メモリ３１、或いはＨＤＤ２８から状態情報を再生する。
次に、ＣＰＵ／ＭＰＵ２６は、上記再生された状態情報に基づいて、表示装置２５にネットワークに接続された光ディスクドライブを含む各光ディスクドライブの動作状態を表示する。
【００４４】
その動作状態の表示については、例えば、ネットワークに接続した光ディスクドライブについて、光ディスクへのデータの記録に異常が発生した原因が光ディスクにある場合には、図４に示すように、上記ネットワークに接続した光ディスクドライブ（ＯＤＵ）欄の記録異常を示すＬＥＤを点灯し（その際、他の光ディスクドライブ欄の各ＬＥＤと共に、故障を示すＬＥＤは消灯）、光ディスクへのデータの記録に異常が発生した原因が光ディスクドライブにある場合には、図４に示すように、上記ネットワークに接続した光ディスクドライブ（ＯＤＵ）欄の故障を示すＬＥＤを点灯する（その際、他の光ディスクドライブ欄の各ＬＥＤと共に、記録異常を示すＬＥＤは消灯）。
【００４５】
こうして、ユーザが、表示装置２５の表示内容によって、多連装光ディスクドライブ２３の各光ディスクドライブについてそれぞれ、光ディスクによる異常なのか、光ディスクドライブの故障による異常なのかを知ることができるので、ユーザは新たな光ディスクで記録をやり直せばよいのか、光ディスクドライブを修理すればよいのかを判断することができる。
実施例２の多連装光ディスクドライブシステムは、多連装光ディスクドライブ装置の複数台の光ディスクドライブについて、光ディスクへのデータ記録に傷害が発生した場合、光ディスク自体の問題で記録を失敗したのか、光ディスクドライブが故障したために記録を失敗したのかを自動的に判定し、その判定結果を表示装置に表示するので、ユーザはデータ記録の失敗の原因が光ディスクにあるのか光ディスクドライブにあるのかを容易に知ることができ、新たな光ディスクで記録をやり直せばよいのか、光ディスクドライブを交換すれば問題が解消されるのかを正確に判断することができる。
【００４６】
〔実施例３〕
この発明の記録再生装置の実施例３の多連装光ディスクドライブシステムは、上記実施例２の多連装光ディスクドライブシステムと同じ構成であるが、その機能が若干異なる。
実施例３の多連装光ディスクドライブシステムでは、多連装光ディスクドライブ装置の各光ディスクドライブの状態情報をネットワーク上のデータ記録を指令したＰＣへ通知する機能を備えている。
すなわち、上記ＣＰＵ／ＭＰＵ２６は、上述の各手段と共に、状態情報再生手段によって再生された状態情報を、ネットワーク上のデータの記録を指令した端末装置へ通知する手段の機能も果たす。
【００４７】
次に、多連装光ディスクドライブ装置２０による多連装光ディスクドライブ２３の動作状態をネットワーク上のＰＣへ通知する処理について説明するが、実施例２と同じ処理についてはその説明を省略する。
ＣＰＵ／ＭＰＵ２６は、不揮発性メモリ３１、或いはＨＤＤ２８から状態情報を再生すると、その状態情報を、ネットワーク２２上のデータの記録を指令したＰＣ２１へネットワーク２２を介して送信して通知する。
【００４８】
こうして、ユーザが、多連装光ディスクドライブ装置２０からの通知によって、多連装光ディスクドライブ２３の各光ディスクドライブについてそれぞれ、光ディスクによる異常なのか、光ディスクドライブの故障による異常なのかを知ることができるので、ユーザは新たな光ディスクで記録をやり直せばよいのか、光ディスクドライブを修理すればよいのかを判断することができる。
実施例３の多連装光ディスクドライブシステムは、多連装光ディスクドライブ装置の複数台の光ディスクドライブについて、光ディスクへのデータ記録に傷害が発生した場合、光ディスク自体の問題で記録を失敗したのか、光ディスクドライブが故障したために記録を失敗したのかを自動的に判定し、その判定結果をデータ記録を依頼したＰＣへ通知するので、ユーザはデータ記録の失敗の原因が光ディスクにあるのか光ディスクドライブにあるのかを容易に知ることができ、新たな光ディスクで記録をやり直せばよいのか、光ディスクドライブを交換すれば問題が解消されるのかを正確に判断することができる。
【００４９】
〔実施例４〕
この発明の記録再生装置の実施例４の多連装光ディスクドライブシステムは、上記実施例２，３の多連装光ディスクドライブシステムと同じ構成であるが、その機能が若干異なる。
実施例４の多連装光ディスクドライブシステムでは、光ディスクドライブの状態情報を、ネットワーク上のデータ記録を指令したＰＣへ通知すると共に、光ディスクドライブに故障があった場合は、ＰＣのユーザからの指示に基づいて保守メンテナンスサービスに自動的に修理依頼する機能を備えている。
【００５０】
すなわち、上記ＣＰＵ／ＭＰＵ２６は、上述の各手段と共に、状態情報再生手段によって再生された状態情報を、ネットワーク上のデータの記録を指令した端末装置へ通知すると共に、修理の依頼を要求するか否かを選択させる手段と、その手段によって修理の依頼の要求が選択された場合、ネットワーク上の保守メンテナンス担当の端末装置へ修理の依頼を通知する手段の機能も果たす。
【００５１】
次に、多連装光ディスクドライブ装置２０による保守メンテナンスサービスに修理依頼する処理について説明するが、実施例２，３と同じ処理についてはその説明を省略する。
ＣＰＵ／ＭＰＵ２６は、不揮発性メモリ３１、或いはＨＤＤ２８から状態情報を再生すると、その状態情報を、ネットワーク２２上のデータの記録を指令したＰＣ２１へネットワーク２２を介して送信して通知すると共に、データの記録を指令したユーザのＰＣ２１に対して、ネットワーク２２経由で保守メンテナンスサービスに修理の依頼を要求するか否かの選択を問い合わせる。
【００５２】
その問い合わせについては、例えば、状態情報の通知と併せて修理の依頼を要求するか否かの選択情報をＰＣ２１へ送信し、そのＰＣ２１からの選択結果を多連装光ディスクドライブ装置２０のＣＰＵ／ＭＰＵ２６で受け取れるようにすれば良い。ＣＰＵ／ＭＰＵ２６は、その選択結果に基づいて保守メンテナンスサービスに修理の依頼要求が選択された場合、ネットワーク２２経由で、保守メンテナンス担当のＰＣに自動的に修理の依頼を通知する。
【００５３】
こうして、光ディスクドライブの故障が原因で異常記録が発生した場合、ユーザからの選択指示により、保守メンテナンスサービスに自動的に修理を依頼することができるので、ユーザが個別に修理連絡をとる手間が省ける。
実施例４の多連装光ディスクドライブシステムは、光ディスクへの記録に傷害が発生した場合、光ディスク自体の問題で記録を失敗したのか、或いは光ディスクドライブが故障したのかを自動的に判定し、多連装光ディスクドライブの光ディスクドライブが故障したことによってデータ記録が失敗したときには、ネットワーク経由でデータ記録を指令したユーザのＰＣへ通知すると共に、そのユーザからの選択指示があれば、保守メンテナンス担当のＰＣに直ちに修理依頼を通知するので、光ディスクドライブの故障が原因で異常記録が発生した場合、ユーザは、多連装光ディスクドライブ装置の修理依頼をする手間が省ける。
【００５４】
〔実施例５〕
この発明の記録再生装置の実施例５の多連装光ディスクドライブシステムは、上記実施例２，３の多連装光ディスクドライブシステムと同じ構成であるが、その機能が若干異なる。
実施例５の多連装光ディスクドライブシステムでは、光ディスク自体の問題でデータ記録を失敗した場合、新たな光ディスクに交換させて自動的にデータの記録をやり直す機能を備えている。
【００５５】
すなわち、上記ＨＤＤ２８を多連装光ディスクドライブ２３の各光ディスクドライブ毎に対応させた記憶領域に分割配置し、上記ＣＰＵ／ＭＰＵ２６が、上述の各手段と共に、その各分割配置した記憶領域にそれぞれ対応させた記録再生手段によって記録媒体に記憶するデータを記憶するようにする手段と、判定手段によって記録媒体へのデータの記録に異常が発生した原因が記録媒体にあると判定した場合、ネットワークに接続させた記録再生手段の記録媒体が新たな記録媒体に交換されたことを認識した後、ネットワークに接続させた記録再生手段に対して分割配置された記憶手段の記憶領域から再度データを読み出して記録をやり直す手段の機能を果たす。
【００５６】
次に、多連装光ディスクドライブ装置２０による光ディスク自体の問題でデータ記録を失敗したときのデータ記録のやり直しの処理について説明するが、実施例２〜４と同じ処理についてはその説明を省略する。
まず、自動的に記録をやり直すためには、複数の光ディスクドライブ毎に記録するデータを保持する記憶領域が必要になる。そこで、図５及び図６に示すように、ＨＤＤ２８の記憶領域を多連装光ディスクドライブ２３の各光ディスクドライブに対応する１〜Ｎ（Ｎは２以上の整数）のエリア（Ａｒｅａ）に分割配置し、それぞれのエリアに記録するデータを記録するようにする。
【００５７】
ＣＰＵ／ＭＰＵ２６は、ネットワークに接続させた光ディスクドライブにおいて、上記判定によって光ディスクへのデータの記録に異常が発生した原因が光ディスクにあると判定した場合、ネットワークに接続させた光ディスクドライブの光ディスクが新たな光ディスクに交換されたことを認識した後、ネットワークに接続させた光ディスクドライブに対して分割配置されたＨＤＤ２８の対応する記憶領域から再度データを読み出し、上記ネットワークに接続させた光ディスクドライブによって上記新たな光ディスクにデータの記録をやり直させる。
【００５８】
こうして、光ディスクが原因で異常な記録が発生した場合、新たな光ディスクに対して再度データの記録をやり直すので、ユーザが個別に記録をやり直す手間が省ける。
実施例５の多連装光ディスクドライブシステムは、光ディスクへの記録に傷害が発生した場合、光ディスク自体の問題で記録を失敗したのか、或いは光ディスクドライブが故障したのかを自動的に判定し、光ディスク自体の問題で記録を失敗したときには、新たな光ディスクに再度データ記録をやり直すので、ユーザが個別にデータ記録をやり直す手間が省ける。
【００５９】
〔実施例６〕
この発明の記録再生装置の実施例６の多連装光ディスクドライブシステムは、上記実施例２〜５の多連装光ディスクドライブシステムと同じ構成であるが、その機能が若干異なる。
実施例６の多連装光ディスクドライブシステムでは、光ディスクドライブの故障が原因でデータ記録を失敗した場合、故障していない新たな光ディスクドライブを選択して新しい光ディスクへのデータ記録を代行させる機能を備えている。
すなわち、上記ＨＤＤ２８を多連装光ディスクドライブ２３の各光ディスクドライブ毎に対応させた記憶領域に分割配置し、上記ＣＰＵ／ＭＰＵ２６が、上述の各手段と共に、その各分割配置した記憶領域にそれぞれ対応させた記録再生手段によって記録媒体に記憶するデータを記憶するようにする手段の機能を果たす。
【００６０】
また、上記ＣＰＵ／ＭＰＵ２６は、状態情報再生手段によって再生された状態情報を、ネットワーク上のデータの記録を指令した端末装置へ通知すると共に、修理の依頼を要求するか否かを選択させる手段と、その手段によって修理の依頼の要求が選択された場合、ネットワーク上の保守メンテナンス担当の端末装置へ修理の依頼を通知する手段と、状態情報再生手段によって再生された状態情報に基づいて記録待ち状態で正常に動作する記録再生手段を選別する手段と、ネットワーク上のデータの記録を指令した端末装置へ通知すると共に、修理の依頼を要求するか否かを選択させる手段と、第２認識手段によって記録媒体へのデータの記録に異常が発生したと認識した場合、状態情報再生手段によって再生された状態情報に基づいて記録待ち状態で正常に動作する記録再生手段を選別し、その選別した記録再生手段に記録媒体が新たな記録媒体に交換されたことを認識した後、選別した記録再生手段に対して分割配置された記憶手段の記憶領域から再度データを読み出して記録を代行する手段の機能も果たす。
【００６１】
次に、多連装光ディスクドライブ装置２０による光ディスクドライブ自体の問題でデータ記録を失敗したときに新たな光ディスクドライブでデータ記録を代行する処理について説明するが、実施例２〜５と同じ処理についてはその説明を省略する。
ＣＰＵ／ＭＰＵ２６は、ネットワークに接続させた光ディスクドライブにおいて、上記判定によって光ディスクへのデータの記録に異常が発生した原因が光ディスクドライブにあると判定した場合、上記各通知を行うと共に、上記再生された状態情報に基づいて記録待ち状態で正常に動作し、待機中の他の光ディスクドライブを選別し、その選別した光ディスクドライブが新たな光ディスクに交換されたこと（あるいは新たな光ディスクが装着されたこと）を認識した後、上記選別した光ディスクドライブに対して分割配置されたＨＤＤ２８のエリアから再度データを読み出してデータ記録を行わせ、データ記録の代行をする。
【００６２】
こうして、光ディスクドライブが原因で異常な記録が発生した場合、故障していない新たな光ディスクドライブによってデータ記録を代行するので、ユーザが個別に記録をやり直す手間が省ける。
実施例６の多連装光ディスクドライブシステムは、光ディスクへの記録に傷害が発生した場合、光ディスク自体の問題で記録を失敗したのか、或いは光ディスクドライブが故障したのかを自動的に判定し、光ディスクドライブが故障したことによってデータ記録を失敗したときには、他の正常な光ディスクドライブで光ディスクへのデータ記録を代行するので、ユーザが個別にデータ記録をやり直す手間が省ける。
【００６３】
〔実施例７〕
この発明の記録再生装置の実施例７の多連装光ディスクドライブシステムは、上述した実施例２〜６の多連装光ディスクドライブシステムと構成及び機能が若干異なり、図７に示すように、多連装光ディスクドライブ装置２０′は、上述の実施例２〜６の多連装光ディスクドライブシステムと共通の構成の他に、光ディスクのラベル面（データ記録面の反対側の面）に各種の情報を印刷するラベル印刷機（ラベル印刷装置）４０を新たに設けている。
そして、この多連装光ディスクドライブシステムでは、データ記録の失敗が光ディスクによる異常なのか、光ディスクドライブの故障による異常なのかを正確に判断できるようにすると共に、データ記録異常が発生した場合、その記録先の光ディスクにデータ記録異常が発生したメディアであることを目視で容易に確認できるようにしている。
【００６４】
この多連装光ディスクドライブシステムのラベル印刷機４０は、光ディスクのラベル面（データ記録面の反対側の面）に各種の情報を印刷するラベル印刷手段に相当する。
また、光ディスクに対してデータの記録中であるか待機状態であるかを判断して認識した認識情報と、光ディスクへのデータの記録が正常であるか異常が発生したかを判断して認識した認識情報と、上記各認識情報に基づいて、光ディスクへのデータの記録に異常が発生した原因が光ディスクにあるのか光ディスクドライブの故障にあるのかを判定する判定情報と、データの記録に異常が発生した光ディスクがラベル印刷機４０に搬送される順番を示す順番情報とを、表３に示すようなフォーマットで、図５に示す不揮発性メモリ３１、又は、ＨＤＤ２８の予め決められた所定の記憶領域に記憶する。
【００６５】
すなわち、図５に示す不揮発性メモリ３１、又は、ＨＤＤ２８の予め決められた所定の記憶領域が、第１認識手段と第２認識手段との認識情報と判定手段の判定結果を示す判定情報とからなる状態情報と、ラベル印刷手段に搬送される記録媒体の順番を示す順番情報とを記憶する状態情報記憶手段の機能を果たす。
そして、上記ＣＰＵ／ＭＰＵ２６が、状態情報記憶手段から状態情報と順番情報とを再生する状態情報再生手段と、状態情報再生手段によって再生された状態情報と順番情報とに基づいて、ラベル印刷手段に搬送される記録媒体の中からデータの記録に異常が発生した原因がある記録媒体を選択し、その選択した記録媒体にラベル印刷手段によってデータの記録に異常が発生したことを示す情報をレーベル面にラベル印刷させる手段の機能も果たす。
【００６６】
次に、この多連装光ディスクドライブ装置２０′によるラベル印刷の処理について説明するが、実施例２〜６と同じ処理についてはその説明を省略する。
ＣＰＵ／ＭＰＵ２６は、上記処理で認識した認識情報と上記判定処理の判定結果を示す判定情報とからなる状態情報と、ラベル印刷機４０に搬送される光ディスクの順番を示す順番情報とを、表３に示したフォーマットで、電源を落としても保持されるように、例えば、図５に示す不揮発性メモリ３１の各光ディスクドライブに対応した状態情報記憶領域にそれぞれ記憶して保持する。或いは、図６に示すＨＤＤ２８の状態情報記憶領域３２の各光ディスクドライブに対応した領域にそれぞれ記憶して保持する。
【００６７】
次に、ＣＰＵ／ＭＰＵ２６は、不揮発性メモリ３１、或いはＨＤＤ２８から状態情報及び順番情報を再生する。
次に、ＣＰＵ／ＭＰＵ２６は、上記再生された状態情報に基づいて、光ディスクに対するデータ記録に異常が検知された場合、上記再生された順番情報に基づいてラベル印刷機４０に搬送される光ディスクがデータ記録に異常が検知された光ディスクであるか否かを検知し、その光ディスクのラベル面にデータ記録が異常であったことを示す情報、例えば、図８に示すように「ＮＧディスク」の文字をラベル印刷する。
【００６８】
こうして、光ディスクへのデータ記録に異常が発生した場合、記録済の光ディスクが共通の場所に複数枚排出されても、ユーザは目視によって「記録を失敗した光ディスク」であることを容易に認識することができる。
実施例７の多連装光ディスクドライブシステムは、多連装光ディスクドライブ装置の複数台の光ディスクドライブについて、光ディスクへのデータ記録に傷害が発生した場合、光ディスク自体の問題で記録を失敗したのか、光ディスクドライブが故障したために記録を失敗したのかを自動的に判定し、データ記録異常が検知された光ディスクには異常であったことを示す情報を自動的にラベル印刷するので、記録済の光ディスクが共通の場所に複数枚排出されても、ユーザはデータ記録を失敗した光ディスクを容易に区別することができる。
【００６９】
〔実施例８〕
この発明の記録再生装置の実施例８の多連装光ディスクドライブシステムは、上述した実施例２〜７の多連装光ディスクドライブシステムと構成及び機能が若干異なり、図９に示すように、多連装光ディスクドライブ装置２０″は、上述の実施例２〜７の多連装光ディスクドライブシステムと共通の構成の他に、光ディスクのデータ記録面に傷をつけて破壊する光ディスク破壊機４１を新たに設けている。
そして、この多連装光ディスクドライブシステムでは、データ記録の失敗が光ディスクによる異常なのか、光ディスクドライブの故障による異常なのかを正確に判断できるようにすると共に、データ記録異常が発生した光ディスクをそのまま破棄しても情報が漏洩しないようにしている。
【００７０】
この多連装光ディスクドライブシステムの光ディスク破壊機４１は、光ディスクのデータ記録面に傷をつけて破壊する手段の機能を果たす。
また、光ディスクに対してデータの記録中であるか待機状態であるかを判断して認識した認識情報と、光ディスクへのデータの記録が正常であるか異常が発生したかを判断して認識した認識情報と、上記各認識情報に基づいて、光ディスクへのデータの記録に異常が発生した原因が光ディスクにあるのか光ディスクドライブの故障にあるのかを判定する判定情報と、光ディスクドライブから排出トレイ４２に搬送される記録媒体の順番を示す順番情報（排出順位）とを、表４に示すようなフォーマットで、図５に示す不揮発性メモリ３１、又は、ＨＤＤ２８の予め決められた所定の記憶領域に記憶する。
【００７１】
すなわち、図５に示す不揮発性メモリ３１、又は、ＨＤＤ２８の予め決められた所定の記憶領域が、第１認識手段と第２認識手段との認識情報と判定手段の判定結果を示す判定情報とからなる状態情報と、記録再生手段から排出トレイに搬送される記録媒体の順番を示す順番情報とを記憶する状態情報記憶手段の機能を果たす。
そして、上記ＣＰＵ／ＭＰＵ２６が、状態情報記憶手段から状態情報と順番情報とを再生する状態情報再生手段の機能も果たす。
さらに、上記ＣＰＵ／ＭＰＵ２６と上記光ディスク破壊機４１が、状態情報再生手段によって再生された状態情報と順番情報とに基づいて、排出トレイに搬送される記録媒体の中からデータの記録に異常が発生した原因がある記録媒体を選択し、その選択した記録媒体の記録面に傷をつけて破壊する手段の機能を果たす。
【００７２】
次に、この多連装光ディスクドライブ装置２０″による光ディスクの破壊の処理について説明するが、実施例２〜７と同じ処理についてはその説明を省略する。
ＣＰＵ／ＭＰＵ２６は、上記処理で認識した認識情報と上記判定処理の判定結果を示す判定情報とからなる状態情報と、光ディスクドライブから排出トレイ４２に搬送される光ディスクの順番を示す順番情報とを、表４に示したフォーマットで、電源を落としても保持されるように、例えば、図５に示す不揮発性メモリ３１の各光ディスクドライブに対応した状態情報記憶領域にそれぞれ記憶して保持する。或いは、図６に示すＨＤＤ２８の状態情報記憶領域３２の各光ディスクドライブに対応した領域にそれぞれ記憶して保持する。
【００７３】
次に、ＣＰＵ／ＭＰＵ２６は、不揮発性メモリ３１、或いはＨＤＤ２８から状態情報及び順番情報を再生する。
次に、ＣＰＵ／ＭＰＵ２６は、上記再生された状態情報に基づいて、光ディスクに対するデータ記録に異常が検知された場合、上記再生された順番情報に基づいてデータ記録に異常が検知された光ディスクを選択し、光ディスク破壊機４１によって光ディスクのデータ記録面に傷をつけて破壊して排出する。
例えば、図１０に示すように、光ディスクのデータ記録面に放射状の傷をつけたり、図１１に示すように、光ディスクのデータ記録面に格子状の傷をつけたりしてデータ再生できないように記録層を破壊して排出する。
【００７４】
このようにして、光ディスクへのデータ記録に異常が発生した場合、その光ディスクのデータ記録面に傷をつけて再生不可能な状態にするので、光ディスクをそのまま廃棄しても情報が外部に漏洩することはない。
実施例８の多連装光ディスクドライブシステムは、光ディスクへの記録に傷害が発生した場合、光ディスク自体の問題で記録を失敗したのか、光ディスクドライブが故障したために記録に失敗したのかを自動的に判定し、データ記録異常が検知された光ディスクのデータ記録面にデータの再生を不可能にする程度の傷をつけて排出するので、データ記録に失敗した光ディスクをそのまま廃棄しても情報が漏洩することはない。
【００７５】
〔実施例９〕
この発明の記録再生装置の実施例９の多連装光ディスクドライブシステムは、上述した実施例２〜８の多連装光ディスクドライブシステムの構成及び機能のいくつかを組み合わせたものである。
この多連装光ディスクドライブシステムでは、光ディスクへのデータ記録に傷害が発生した場合、光ディスク自体の問題で記録を失敗したのか、光ディスクドライブが故障したために記録を失敗したのかを自動的に判定し、光ディスク自体に原因があってデータ記録異常が発生した場合、他の光ディスクへ記録をやり直すと共に、データ記録異常が発生した光ディスクには異常な記録がなされたことを目視で確認できるようにラベル印刷する。
【００７６】
次に、この多連装光ディスクドライブ装置の処理について説明するが、実施例２〜８と同じ処理についてはその説明を省略する。
まず、自動的に記録をやり直すためには、複数の光ディスクドライブ毎に記録するデータを保持する記憶領域が必要になる。そこで、図５及び図６に示すように、ＨＤＤ２８の記憶領域を多連装光ディスクドライブ２３の各光ディスクドライブに対応する１〜Ｎ（Ｎは２以上の整数）のエリア（Ａｒｅａ）に分割配置し、それぞれのエリアに記録するデータを記録するようにする。
【００７７】
ＣＰＵ／ＭＰＵ２６は、上記処理で認識した認識情報と上記判定処理の判定結果を示す判定情報とからなる状態情報と、ラベル印刷機４０に搬送される光ディスクの順番を示す順番情報とを、表３に示したフォーマットで、電源を落としても保持されるように、例えば、図５に示す不揮発性メモリ３１の各光ディスクドライブに対応した状態情報記憶領域にそれぞれ記憶して保持する。或いは、図６に示すＨＤＤ２８の状態情報記憶領域３２の各光ディスクドライブに対応した領域にそれぞれ記憶して保持する。
次に、ＣＰＵ／ＭＰＵ２６は、不揮発性メモリ３１、或いはＨＤＤ２８から状態情報及び順番情報を再生する。
【００７８】
ＣＰＵ／ＭＰＵ２６は、上記状態情報を、ネットワーク２２上のデータの記録を指令したＰＣ２１へ通知すると共に、ネットワークに接続させた光ディスクドライブにおいて、上記判定によって光ディスクへのデータの記録に異常が発生した原因が光ディスクにあると判定した場合、ネットワークに接続させた光ディスクドライブの光ディスクが新たな光ディスクに交換されたことを認識した後、ネットワークに接続させた光ディスクドライブに対して分割配置されたＨＤＤ２８の対応する記憶領域から再度データを読み出し、上記ネットワークに接続させた光ディスクドライブによって上記新たな光ディスクにデータの記録をやり直させる。
【００７９】
次に、ＣＰＵ／ＭＰＵ２６は、上記再生された状態情報に基づいて、光ディスクに対するデータ記録に異常が検知された場合、上記再生された順番情報に基づいてラベル印刷機４０に搬送される光ディスクがデータ記録に異常が検知された光ディスクであるか否かを検知し、その光ディスクのラベル面にデータ記録が異常であったことを示す情報、例えば、図８に示すように「ＮＧディスク」の文字をラベル印刷する。
【００８０】
実施例９の多連装光ディスクドライブシステムは、光ディスクへの記録に傷害が発生した場合、光ディスク自体の問題で記録を失敗したのか、或いは光ディスクドライブが故障したのかを自動的に判定し、光ディスク自体の問題で記録を失敗したときには、新たな光ディスクに再度データ記録をやり直すので、ユーザが個別にデータ記録をやり直す手間が省ける。さらに、データ記録異常が検知された光ディスクには異常であったことを示す情報を自動的にラベル印刷するので、記録済の光ディスクが共通の場所に複数枚排出されても、ユーザはデータ記録を失敗した光ディスクを容易に区別することができる。
よって、例え光ディスクへのデータ記録が失敗しても、ユーザに対して全く面倒な作業負担を与えることなく、データ記録を正常に行うことができ、データ記録に失敗した光ディスクを容易に処分することができる。
【００８１】
〔実施例１０〕
この発明の記録再生装置の実施例１０の多連装光ディスクドライブシステムは、上述した実施例２〜８の多連装光ディスクドライブシステムの構成及び機能のいくつかを組み合わせた他の例である。
この多連装光ディスクドライブシステムでは、光ディスクドライブの状態情報を、ネットワーク上のデータ記録を指令したＰＣへ通知すると共に、光ディスクドライブに故障があった場合は、ＰＣのユーザからの指示に基づいて保守メンテナンスサービスに自動的に修理依頼し、光ディスク自体の問題でデータ記録を失敗した場合、新たな光ディスクに交換させて自動的にデータの記録をやり直すと共に、データ記録異常が発生した光ディスクに傷をつけて破壊する。
【００８２】
次に、この多連装光ディスクドライブ装置の処理について説明するが、実施例２〜８と同じ処理についてはその説明を省略する。
まず、自動的に記録をやり直すためには、複数の光ディスクドライブ毎に記録するデータを保持する記憶領域が必要になる。そこで、図５及び図６に示すように、ＨＤＤ２８の記憶領域を多連装光ディスクドライブ２３の各光ディスクドライブに対応する１〜Ｎ（Ｎは２以上の整数）のエリア（Ａｒｅａ）に分割配置し、それぞれのエリアに記録するデータを記録するようにする。
【００８３】
ＣＰＵ／ＭＰＵ２６は、不揮発性メモリ３１、或いはＨＤＤ２８から状態情報を再生すると、その状態情報を、ネットワーク２２上のデータの記録を指令したＰＣ２１へネットワーク２２を介して送信して通知すると共に、データの記録を指令したユーザのＰＣ２１に対して、ネットワーク２２経由で保守メンテナンスサービスに修理の依頼を要求するか否かの選択を問い合わせる。
【００８４】
その問い合わせについては、例えば、状態情報の通知と併せて修理の依頼を要求するか否かの選択情報をＰＣ２１へ送信し、そのＰＣ２１からの選択結果を多連装光ディスクドライブ装置２０のＣＰＵ／ＭＰＵ２６で受け取れるようにすれば良い。ＣＰＵ／ＭＰＵ２６は、その選択結果に基づいて保守メンテナンスサービスに修理の依頼要求が選択された場合、ネットワーク２２経由で、保守メンテナンス担当のＰＣに自動的に修理の依頼を通知する。
【００８５】
また、ＣＰＵ／ＭＰＵ２６は、ネットワークに接続させた光ディスクドライブにおいて、上記判定によって光ディスクへのデータの記録に異常が発生した原因が光ディスクにあると判定した場合、ネットワークに接続させた光ディスクドライブの光ディスクが新たな光ディスクに交換されたことを認識した後、ネットワークに接続させた光ディスクドライブに対して分割配置されたＨＤＤ２８の対応する記憶領域から再度データを読み出し、上記ネットワークに接続させた光ディスクドライブによって上記新たな光ディスクにデータの記録をやり直させる。
【００８６】
次に、ＣＰＵ／ＭＰＵ２６は、上記再生された状態情報に基づいて、光ディスクに対するデータ記録に異常が検知された場合、上記再生された順番情報に基づいてデータ記録に異常が検知された光ディスクを選択し、光ディスク破壊機４１によって光ディスクのデータ記録面に傷をつけて破壊して排出する。
例えば、図１０に示すように、光ディスクのデータ記録面に放射状の傷をつけたり、図１１に示すように、光ディスクのデータ記録面に格子状の傷をつけたりしてデータ再生できないように記録層を破壊して排出する。
【００８７】
実施例１０の多連装光ディスクドライブシステムは、光ディスクへの記録に傷害が発生した場合、光ディスク自体の問題で記録を失敗したのか、或いは光ディスクドライブが故障したのかを自動的に判定し、多連装光ディスクドライブの光ディスクドライブが故障したことによってデータ記録が失敗したときには、ネットワーク経由でデータ記録を指令したユーザのＰＣへ通知すると共に、そのユーザからの選択指示があれば、保守メンテナンス担当のＰＣに直ちに修理依頼を通知するので、光ディスクドライブの故障が原因で異常記録が発生した場合、ユーザは、多連装光ディスクドライブ装置の修理依頼をする手間が省ける。
【００８８】
また、光ディスク自体の問題で記録を失敗したときには、新たな光ディスクに再度データ記録をやり直すので、ユーザが個別にデータ記録をやり直す手間が省ける。さらに、データ記録異常が検知された光ディスクには、そのデータ記録面に傷をつけて排出するので、データ記録に失敗した光ディスクをそのまま廃棄しても情報が漏洩することはない。
よって、ユーザは例え光ディスクへの記録が失敗しても、ユーザに対して全く面倒な負担を与えずに、常に正常に記録が行われるようにすることができる。
【００８９】
【表１】
2006344297.tif 000003
【００９０】
【表２】
2006344297.tif 000004
【００９１】
【表３】
2006344297.tif 000005
【００９２】
【表４】
2006344297.tif 000006
【産業上の利用可能性】
【００９３】
この発明による記録再生装置は、記録媒体にデータを記録再生する装置全般に適用することができる。
【図面の簡単な説明】
【００９４】
【図１】この発明の実施例１の光ディスクドライブ装置の構成を示す図である。
【図２】図１に示す光ディスクドライブの動作状態の表示例の図である。
【図３】この発明の実施例２〜６の多連装光ディスクドライブシステムの構成を示す図である。
【図４】図３に示す多連装光ディスクドライブの動作状態の表示例の図である。
【００９５】
【図５】図３に示す制御ユニットと多連装光ディスクドライブの詳細な内部構成を示す図である。
【図６】図３に示す制御ユニットと多連装光ディスクドライブの詳細な内部構成の他の例を示す図である。
【図７】この発明の実施例７のラベル印刷機能付き多連装光ディスクドライブシステムの構成を示す図である。
【図８】ラベル印刷の説明に供する光ディスクの概観図である。
【００９６】
【図９】この発明の実施例８の光ディスク破壊装置付き多連装光ディスクドライブシステムの構成を示す図である。
【図１０】光ディスクの破壊の説明に供する光ディスクの概観図である。
【図１１】光ディスクの他の破壊例の説明に供する光ディスクの概観図である。
【図１２】従来の多連装光ディスクドライブ装置システムの構成を示す図である。
【符号の説明】
【００９７】
１：光ディスクドライブ装置    ２：光ディスクドライブ    ３，２１，５１：ＰＣ    ４：表示装置    ５，３０：Ｉ／Ｆ    ６：ＣＲＴ    ７：ＣＰＵ    ８，２７：ＲＡＭ    ９，２８：ＨＤＤ    １０，２９：ＵＳＢハブ    １１：光ディスク    ２０，２０′，２０″，５０：多連装光ディスクドライブ装置    ２２：ネットワーク    ２３，５２：多連装光ディスクドライブ    ２４，５３：制御ユニット    ２５：表示装置    ２６：ＣＰＵ／ＭＰＵ    ３１：不揮発性メモリ    ３２：状態情報記憶領域    ４０：ラベル印刷機    ４１：光ディスク破壊機    ４２：排出トレイ
【図１】
2006344297.tif 000007
【図２】
2006344297.tif 000008
【図３】
2006344297.tif 000009
【図４】
2006344297.tif 000010
【図５】
2006344297.tif 000011
【図６】
2006344297.tif 000012
【図７】
2006344297.tif 000013
【図８】
2006344297.tif 000014
【図９】
2006344297.tif 000015
【図１０】
2006344297.tif 000016
【図１１】
2006344297.tif 000017
【図１２】
2006344297.tif 000018